(57)【要約】【課題】  楽器本体をほぼ鉛直な鉛直姿勢に容易に且つ安定して保持することができ、それにより、鍵盤楽器をコンパクトに省スペースで保管することができる鍵盤楽器のスタンドを提供する。【解決手段】ピアノ本体３を水平な床面Ｆ上に支持する鍵盤楽器のスタンド４であって、ピアノ本体３の底部に前後方向に延びる連結軸１３を中心として回動自在に連結され、ピアノ本体３を載置し、水平姿勢に支持する脚部１１と、脚部１１に対して回動したピアノ本体３をほぼ鉛直な鉛直姿勢に保持する保持手段と、を備えている。【選択図】  図１
2006220838.tif 000002
【特許請求の範囲】
【請求項１】
楽器本体を水平な床面上に支持する鍵盤楽器のスタンドであって、
前記楽器本体の底部に前後方向に延びる軸線を中心として回動自在に連結され、当該楽器本体を載置し、水平姿勢に支持する脚部と、
当該脚部に対して回動した前記楽器本体をほぼ鉛直な鉛直姿勢に保持する保持手段と、
を備えていることを特徴とする鍵盤楽器のスタンド。
【請求項２】
前記脚部は、上下方向に延び、一方の上端部が前記楽器本体の底部に前記軸線を中心として回動自在に連結された左右２つの脚部を有しており、
これら２つの脚部および前記楽器本体の底部にそれぞれ回動自在に連結され、前記楽器本体が前記水平姿勢から前記鉛直姿勢に回動するのに伴って折り畳まれることにより、前記他方の脚部を前記一方の脚部に近づけるとともに、前記楽器本体が前記鉛直姿勢から前記水平姿勢に回動するのに伴って展開されることにより、前記他方の脚部を前記一方の脚部から離すように構成されたリンク機構を、さらに備えていることを特徴とする請求項１に記載の鍵盤楽器のスタンド。
【請求項３】
前記一方の脚部および前記リンク機構の一方に設けられたガイド係合部と、
前記楽器本体の底部に設けられ、前記ガイド係合部に前記楽器本体の左右方向に沿ってスライド自在に係合するスライド部と、
をさらに備えていることを特徴とする請求項２に記載の鍵盤楽器のスタンド。
【請求項４】
前記２つの脚部を互いに近づける方向に付勢する付勢手段を、さらに備えていることを特徴とする請求項２または３に記載の鍵盤楽器のスタンド。
【請求項５】
前記２つの脚部の下端部にはそれぞれ、キャスターが設けられていることを特徴とする請求項２ないし４のいずれかに記載の鍵盤楽器のスタンド。
【請求項６】
前記脚部は、
上下方向に延び、上端部が前記楽器本体の底部に前記軸線を中心として回動自在に連結された第１脚部と、
一端部が前記楽器本体の底部に回動自在に連結され、上下方向に延び、前記第１脚部と協働して前記楽器本体を載置し、前記水平姿勢に支持する支持位置と、前記楽器本体の底部に沿って折り畳まれる折畳み位置との間で回動可能な第２脚部と、
を有していることを特徴とする請求項１に記載の鍵盤楽器のスタンド。
【請求項７】
前記楽器本体の底部の左右方向の中央部と前記第１脚部との間に設けられたガイド係合部と、
前記第１脚部に設けられ、前記ガイド係合部に前記楽器本体の左右方向に沿ってスライド自在に係合するスライド部と、
をさらに備えていることを特徴とする請求項６に記載の鍵盤楽器のスタンド。
【請求項８】
前記第１および第２脚部の下端部にはそれぞれ、キャスターが設けられていることを特徴とする請求項６または７に記載の鍵盤楽器のスタンド。
【請求項９】
前記脚部は、
一端部が前記楽器本体の底部に回動自在に連結され、上下方向に延び、前記楽器本体を載置し、前記水平姿勢に支持する支持位置と、前記楽器本体の底部に沿って折り畳まれる折畳み位置との間で回動可能な左右２つの脚部と、
上下方向に延び、上端部が前記楽器本体の底部に前記軸線を中心として回動自在に連結され、下端部に演奏用のペダルが設けられるとともに、前記楽器本体を支持するペダル脚部と、
を有していることを特徴とする請求項１に記載の鍵盤楽器のスタンド。
【請求項１０】
前記ペダル脚部は、
前記楽器本体の底部に連結された第１ペダル脚部と、
前記ペダルが設けられるとともに、前記第１ペダル脚部に対して上下方向に移動自在に連結された第２ペダル脚部と、
この第２ペダル脚部を前記第１ペダル脚部に対して下方に移動させることにより、当該第２ペダル脚部を前記床面に押圧する押圧機構と、
を有していることを特徴とする請求項９に記載の鍵盤楽器のスタンド。
【請求項１１】
前記ペダル脚部の下端部には、キャスターが設けられていることを特徴とする請求項９または１０に記載の鍵盤楽器のスタンド。
【発明の詳細な説明】
【技術分野】
【０００１】
本発明は、例えば電子ピアノなどの楽器本体を床面上に支持する鍵盤楽器のスタンドに関する。
【背景技術】
【０００２】
一般に、スタンドを備えた鍵盤楽器は、使用後に、室内の壁や隅に寄せた状態、あるいは保管室などに収納した状態で保管されることが多い。しかし、そのような鍵盤楽器では、スタンドを備えている分、高さが比較的高く、加えて、楽器本体が、左右方向に並んだ多数の鍵を備えた鍵盤を有するため、左右方向の横幅も比較的長い。そのため、鍵盤楽器を上記のように保管する場合には、比較的大きな保管スペースが必要になる。特に、室内があまり広くないマンションや家屋などでは、鍵盤楽器を使用しない場合に、それをできるだけ省スペースで保管できることが望まれている。
【０００３】
従来、省スペースで保管可能な鍵盤楽器として、特許文献１に開示されたものが知られている。この鍵盤楽器は、鍵盤を有する楽器本体と、この楽器本体に着脱可能に組み付けられたスタンドとを備えている。このスタンドは、それぞれ逆Ｕ字状に形成された左右一対の脚部と、これらに連結され、折り畳み可能なリンク機構とで構成されている。リンク機構は、左右一対のリンクバーを有し、各リンクバーの一端部が、左右の対応する脚部の上下方向のほぼ中央部に回動自在が連結され、他端部が、楽器本体の底面の中央部に着脱可能な連結金具に回動自在に連結されている。
【０００４】
このように構成されたスタンドは、楽器本体を載置し、両脚部の上端部がそれぞれ、楽器本体の底面の左右両端部にねじ止めされるとともに、連結金具が楽器本体の底面の中央部にねじ止めされる。これにより、床などに設置された鍵盤楽器は、使用時の状態、すなわち楽器本体が、床から両脚部の高さ分、高い位置に、水平に支持される。また、この鍵盤楽器を保管する場合には、まず、楽器本体とスタンドとを止めているねじを外し、楽器本体からスタンドを取り外す。次いで、スタンドの連結金具を両脚部の下端側に移動させながら、両脚部を互いに接近させるように、スタンドを折り畳む。そして、楽器本体とともに折り畳んだスタンドを、室内の壁や隅に寄せた状態で、あるいは保管室などにおいて、床に載置して保管する。
【０００５】
このように、スタンドが楽器本体から取り外し可能でかつ折り畳み可能な鍵盤楽器では、使用時の状態のまま保管する場合に比べて、省スペースで保管することが可能である。しかし、鍵盤楽器を保管する場合には、スタンドを楽器本体から取り外さなければならず、逆に、鍵盤楽器を使用する場合には、スタンドを楽器本体に取り付けなければならない。しかも、楽器本体は比較的重いため、楽器本体へのスタンドの取付けおよび取外し作業は非常に煩雑である。
【０００６】
また、スタンドを取り外した楽器本体を床に載置して保管することで、鍵盤楽器は、使用時の状態に比べて、高さが低くなるため、その分、省スペースで保管が可能となる。しかし、前述したように、楽器本体の横幅は、比較的長いため、床面上に楽器本体の横幅と同程度の比較的長い載置領域が必要になる。もちろん、楽器本体を壁などに立て掛け、ほぼ鉛直な鉛直姿勢にすることで、載置領域を小さくすることは可能である。しかし、楽器本体を単に壁に立て掛けただけでは、楽器本体が非常に不安定な状態になるため、倒れた場合には、楽器本体が故障したり、床面を傷付けたりするおそれがある。
【０００７】
本発明は、以上のような課題を解決するためになされたものであり、楽器本体をほぼ鉛直な鉛直姿勢に容易に且つ安定して保持することができ、それにより、鍵盤楽器をコンパクトに省スペースで保管することができる鍵盤楽器のスタンドを提供することを目的とする。
【０００８】
【特許文献１】実用新案登録第３０１１５５３号
【発明の開示】
【課題を解決するための手段】
【０００９】
上記の目的を達成するために、請求項１に係る発明は、楽器本体を水平な床面上に支持する鍵盤楽器のスタンドであって、楽器本体の底部に前後方向に延びる軸線を中心として回動自在に連結され、楽器本体を載置し、水平姿勢に支持する脚部と、脚部に対して回動した楽器本体をほぼ鉛直な鉛直姿勢に保持する保持手段と、を備えていることを特徴とする。
【００１０】
この構成によれば、楽器本体を載置し、水平姿勢に支持する脚部が、楽器本体の底部に前後方向に延びる軸線を中心として回動自在に連結され、脚部に対して回動した楽器本体を、保持手段でほぼ鉛直な鉛直姿勢に保持するので、楽器本体を脚部に対して回動させるだけで、その楽器本体を鉛直姿勢に容易に且つ安定して保持することができる。したがって、鍵盤楽器を保管する場合に、楽器本体を鉛直姿勢にすることにより、水平姿勢のまま保管する場合に比べて、鍵盤楽器をコンパクトに省スペースで保管することができる。
【００１１】
請求項２に係る発明は、請求項１に記載の鍵盤楽器のスタンドにおいて、脚部は、上下方向に延び、一方の上端部が楽器本体の底部に軸線を中心として回動自在に連結された左右２つの脚部を有しており、これら２つの脚部および楽器本体の底部にそれぞれ回動自在に連結され、楽器本体が水平姿勢から鉛直姿勢に回動するのに伴って折り畳まれることにより、他方の脚部を一方の脚部に近づけるとともに、楽器本体が鉛直姿勢から水平姿勢に回動するのに伴って展開されることにより、他方の脚部を一方の脚部から離すように構成されたリンク機構を、さらに備えていることを特徴とする。
【００１２】
この構成によれば、上下方向に延びる左右２の脚部により、楽器本体を載置し、水平姿勢にしっかりと支持することができる。また、２つの脚部の一方の上端部が、楽器本体の底部に上記軸線を中心として回動自在に連結されるとともに、リンク機構が、２つの脚部および楽器本体の底部に回動自在に連結されている。このリンク機構は、楽器本体が水平姿勢から鉛直姿勢に回動するのに伴って折り畳まれることにより、他方の脚部を一方の脚部に近づけるので、楽器本体を所定方向に回動させるだけで、２つの脚部がコンパクトにまとまり、これにより、鍵盤楽器を、脚部を含めて省スペースで保管することができる。また、リンク機構は、楽器本体が鉛直姿勢から水平姿勢に回動するのに伴って展開されることにより、他方の脚部を一方の脚部から離すので、楽器本体を上記と逆方向に回動させるだけで、２つの脚部の間隔が広がり、これらの脚部で楽器本体を水平姿勢に支持することができる。
【００１３】
請求項３に係る発明は、請求項２に記載の鍵盤楽器のスタンドにおいて、一方の脚部およびリンク機構の一方に設けられたガイド係合部と、楽器本体の底部に設けられ、ガイド係合部に楽器本体の左右方向に沿ってスライド自在に係合するスライド部と、をさらに備えていることを特徴とする。
【００１４】
この構成によれば、楽器本体の底部に設けられたスライド部が、一方の脚部またはリンク機構に設けられたガイド係合部に、楽器本体の左右方向に沿ってスライド自在に係合するので、楽器本体を一方の脚部またはリンク機構に対してスライドさせることができる。例えば、一方の脚部が、楽器本体の左右方向の端部に位置した状態で、楽器本体を水平姿勢から鉛直姿勢に回動させると、楽器本体の大部分が一方の脚部の上側に位置し、楽器本体の重心が比較的高くなる。したがって、そのような場合に、楽器本体を、一方の脚部またはリンク機構に対して、下方にスライドさせることにより、楽器本体の重心を低くすることができ、それにより、鉛直姿勢の楽器本体を安定した状態で保持することができる。
【００１５】
請求項４に係る発明は、請求項２または３に記載の鍵盤楽器のスタンドにおいて、２つの脚部を互いに近づける方向に付勢する付勢手段を、さらに備えていることを特徴とする。
【００１６】
この構成によれば、付勢手段が、２つの脚部を互いに近づける方向に付勢するので、その付勢力を、リンク機構を介して、楽器本体が鉛直姿勢に回動する方向に作用させることができる。したがって、楽器本体を水平姿勢から鉛直姿勢に回動させる際に、その回動作業を容易に行うことができる。
【００１７】
請求項５に係る発明は、請求項２ない４のいずれかに記載の鍵盤楽器のスタンドにおいて、２つの脚部の下端部にはそれぞれ、キャスターが設けられていることを特徴とする。
【００１８】
この構成によれば、２つの脚部の下端部にそれぞれ、キャスターが設けられているので、楽器本体の姿勢に関わらず、鍵盤楽器を床面上で容易に移動させることができる。また、楽器本体を水平姿勢と鉛直姿勢との間で回動させる際に、他方の脚部が、一方の脚部に円滑に近づいたり、離れたりするので、その回動作業をより一層容易に行うことができる。
【００１９】
請求項６に係る発明は、請求項１に記載の鍵盤楽器のスタンドにおいて、脚部は、上下方向に延び、上端部が楽器本体の底部に軸線を中心として回動自在に連結された第１脚部と、一端部が楽器本体の底部に回動自在に連結され、上下方向に延び、第１脚部と協働して楽器本体を載置し、水平姿勢に支持する支持位置と、楽器本体の底部に沿って折り畳まれる折畳み位置との間で回動可能な第２脚部と、を有していることを特徴とする。
【００２０】
この構成によれば、第１および第２脚部が協働して、楽器本体を載置し、水平姿勢にしっかりと支持することができる。また、第１脚部は、上端部が楽器本体の底部に上記軸線を中心として回動自在に連結されているので、楽器本体を水平姿勢と鉛直姿勢との間で、容易に回動させることができる。一方、第２脚部は、一端部が楽器本体の底部に回動自在に連結され、上記支持位置と折畳み位置との間で回動可能であるので、楽器本体を鉛直姿勢にする際に、第２脚部を折畳み位置に回動させることにより、第２脚部が楽器本体から外方に突出することなく、鍵盤楽器をコンパクトにまとめることができる。
【００２１】
請求項７に係る発明は、請求項６に記載の鍵盤楽器のスタンドにおいて、楽器本体の底部の左右方向の中央部と第１脚部との間に設けられたガイド係合部と、第１脚部に設けられ、ガイド係合部に楽器本体の左右方向に沿ってスライド自在に係合するスライド部と、をさらに備えていることを特徴とする。
【００２２】
この構成によれば、第１脚部に設けられたスライド部が、楽器本体の底部の左右方向の中央部と第１脚部との間に設けられたガイド係合部に、楽器本体の左右方向に沿ってスライド自在であるので、第１脚部を、スライド部を介して、楽器本体の底部の左右方向の中央部に移動させることができる。したがって、楽器本体を水平姿勢から鉛直姿勢に回動させる場合に、例えば、第１脚部を楽器本体の底部の左右方向の中央部まで移動させ、楽器本体の重心を支持した状態で、楽器本体を回動させることにより、その回動を容易に行うことができる。
【００２３】
請求項８に係る発明は、請求項６または７に記載の鍵盤楽器のスタンドにおいて、第１および第２脚部の下端部にはそれぞれ、キャスターが設けられていることを特徴とする。
【００２４】
この構成によれば、第１および第２脚部の下端部にそれぞれ、キャスターが設けられているので、楽器本体の姿勢に関わらず、鍵盤楽器を床面上で容易に移動させることできる。また、楽器本体を水平姿勢から鉛直姿勢に回動させる場合に、上記のように、第１脚部を移動させるときにも、その移動を容易に行うことができる。
【００２５】
請求項９に係る発明は、請求項１に記載の鍵盤楽器のスタンドにおいて、脚部は、一端部が楽器本体の底部に回動自在に連結され、上下方向に延び、楽器本体を載置し、水平姿勢に支持する支持位置と、楽器本体の底部に沿って折り畳まれる折畳み位置との間で回動可能な左右２つの脚部と、上下方向に延び、上端部が楽器本体の底部に軸線を中心として回動自在に連結され、下端部に演奏用のペダルが設けられるとともに、楽器本体を支持するペダル脚部と、を有していることを特徴とする。
【００２６】
この構成によれば、支持位置の左右２つの脚部により、楽器本体を載置し、水平姿勢にしっかりと支持することができる。また、下端部に演奏用のペダルが設けられたペダル支持部は、上端部が楽器本体の底部に上記軸線を中心として回動自在に連結されているので、楽器本体を水平姿勢と鉛直姿勢との間で、容易に回動させることができる。さらに、左右２つの脚部はそれぞれ、一端部が楽器本体の底部に回動自在に連結され、上記支持位置と折畳み位置との間で回動可能であるので、楽器本体を鉛直姿勢にする際に、両脚部を折畳み位置に回動させることにより、両脚部が楽器本体から外方に突出することなく、鍵盤楽器をコンパクトにまとめることができる。
【００２７】
請求項１０に係る発明は、請求項９に記載の鍵盤楽器のスタンドにおいて、ペダル脚部は、楽器本体の底部に連結された第１ペダル脚部と、ペダルが設けられるとともに、第１ペダル脚部に対して上下方向に移動自在に連結された第２ペダル脚部と、この第２ペダル脚部を第１ペダル脚部に対して下方に移動させることにより、第２ペダル脚部を床面に押圧する押圧機構と、を有していることを特徴とする。
【００２８】
この構成によれば、押圧機構が、ペダルを有する第２ペダル脚部を、第１ペダル脚部に対して下方に移動させ、床面に押圧する。これにより、ペダルが、床面上にしっかりと保持され、その結果、演奏時に、ペダルの踏み込み操作を安定して行うことができる。
【００２９】
請求項１１に係る発明は、請求項９または１０に記載の鍵盤楽器のスタンドにおいて、ペダル脚部の下端部には、キャスターが設けられていることを特徴とする。
【００３０】
この構成によれば、ペダル脚部の下端部に、キャスターが設けられているので、楽器本体をペダル脚部で支持した状態で、鍵盤楽器を床面上で容易に移動させることができる。
【発明を実施するための最良の形態】
【００３１】
以下、図面を参照しながら、本発明の好ましい実施形態を詳細に説明する。図１は、本発明の第１実施形態による鍵盤楽器のスタンドを備えた電子ピアノを示している。同図に示すように、この電子ピアノ１は、左右方向に並んだ多数（例えば８８鍵）の鍵２ａを備えた鍵盤２を有するとともに、左右方向に延びるように構成されたピアノ本体３（楽器本体）と、このピアノ本体３を水平な床面Ｆ上で下方から支持するスタンド４とで構成されている。なお、ピアノ本体３には、鍵盤２の押鍵に応じて音を生成する電子回路や、生成した音を発するスピーカ（いずれも図示せず）などが内蔵されている。
【００３２】
スタンド４は、ピアノ本体３を載置し、床面Ｆと平行な水平姿勢（図１などに示す姿勢）に支持することに加えて、ピアノ本体３をほぼ鉛直（鉛直も含む）な鉛直姿勢（図２（ｂ）などに示す姿勢）に保持可能なものである。図１に示すように、このスタンド４は、左右一対の脚部１１、１１と、これらを互いに連結するとともに、ピアノ本体３に連結されたリンク機構１２とを有している。両脚部１１、１１は、互いに左右方向に、ピアノ本体３の左右方向の長さと同程度、間隔を隔てて配置されている。各脚部１１は、上下方向に延び、上端部および上下方向の中央部がそれぞれ、前後方向に延びる連結軸１３、１４を介して、リンク機構１２に回動自在に連結されている。また、各脚部１１の下端部は、直角に屈曲して内方に若干延びており、その屈曲部１１ａの下面先端部には、ロック機能付きの２つのキャスター１５が、互いに前後方向に間隔を隔てて取り付けられている（図１では１つのみ図示）。
【００３３】
なお、本実施形態の各脚部１１は、前後方向の寸法がピアノ本体３のそれよりも若干短く、側面形状が縦長の長方形に形成された単一のもの、あるいは前後対称で柱状に形成された２つのもので構成されている。
【００３４】
リンク機構１２は、ピアノ本体３の直ぐ下に配置された左右２つの上リンクバー２１、２１と、これらの下方に配置された左右２つの下リンクバー２２、２２と、上下リンクバー２１、２２を連結する連結リンクバー２３とで構成されている。各上下リンクバー２１、２２は、ピアノ本体３の左右方向の長さの１／２程度の長さを有している。また、両上リンクバー２１、２１は、内側の端部同士が、前後方向に延びる連結軸２４を介して、互いに回動自在に連結されるとともに、外側の端部がそれぞれ、対応する左右両脚部１１、１１の上端部に、連結軸１３、１３を介して回動自在に連結されている。一方、両下リンクバー２２、２２は、内側の端部同士が、前後方向に延びる連結軸２５を介して、互いに回動自在に連結されるとともに、外側の端部がそれぞれ、対応する左右両脚部１１、１１の上下方向の中央部に、連結軸１４、１４を介して回動自在に連結されている。さらに、連結リンクバー２３は、脚部１１の上下方向の長さの１／２程度の長さを有しており、上端部が、両上リンクバー２１、２１の内側の端部に連結軸２４を介して回動自在に連結される一方、下端部が、両下リンクバー２２、２２の内側の端部に連結軸２５を介して回動自在に連結されている。
【００３５】
上記のように構成されたリンク機構１２では、左右２つの上リンクバー２１、２１のうち、左側の上リンクバー２１のみが、ピアノ本体３の底面に取付ねじ２６、２６で固定されている。なお、右側の上リンクバー２１は、左側の上リンクバー２１に比べて高さ寸法が若干短く形成されており、ピアノ本体３が水平姿勢に支持されたときには、右側の上リンクバー２１とピアノ本体３との間に若干の隙間が生じるものの、ピアノ本体３の底面右端部に設けられた突部３ａが、右側の上リンクバー２１に当接することで、ピアノ本体３が水平姿勢に安定して支持される。また、ピアノ本体３を水平姿勢に支持した状態で、右側の上リンクバー２１の下方から、図示しない手回しねじをピアノ本体３の底部にねじ込むようにしてもよい。この場合には、両上リンクバー２１、２１がピアノ本体３の底面にしっかりと固定されるため、ピアノ本体３をスタンド４によって水平姿勢に安定して支持することができる。
【００３６】
次に、上記スタンド４によって支持されたピアノ本体３を、水平姿勢から鉛直姿勢に回動させる際の動作について説明する。まず、電子ピアノ１を使用した者、あるいはその保管作業を行う者（以下、単に「使用者Ｕ」という）が、左側の脚部１１のキャスター１５をロックするとともに、右側の脚部１１のキャスター１５のロックを解除した後、図２（ａ）に示すように、ピアノ本体３の右端部を持ち上げる。これにより、ピアノ本体３は、左側の上リンクバー２１および脚部１１を連結する左上の連結軸１３（軸線）を中心として、同図の反時計方向に回動する。この場合、リンク機構１２は、次のように動作する。
【００３７】
すなわち、左側の上リンクバー２１は、ピアノ本体３とともに回動しながら、右端部が上昇する。これに伴い、右側の上リンクバー２１は、左端部が上昇するとともに、連結軸２４を中心として時計方向に回動しながら、右端部が左方に移動する。一方、連結リンクバー２３を介して上記上リンクバー２１、２１に連結された左右の下リンクバー２２、２２はそれぞれ、対応する左右の上リンクバー２１、２１との間を平行に保ちながら、その距離を縮めるように動作する。つまり、リンク機構１２は、両上リンクバー２１、２１の外側の端部同士が接近するとともに、両下リンクバー２２、２２の外側の端部同士が接近するように折り畳まれる。そして、このようなリンク機構１２の折り畳み動作に伴い、右側の脚部１１が左側の脚部１１に近づく。
【００３８】
図２（ａ）に示す状態から、使用者Ｕが、ピアノ本体３の右端部を更に持上げ、ピアノ本体３を更に回動させることにより、ピアノ本体３が同図（ｂ）に示す鉛直姿勢となり、この姿勢で保持される。この場合、スタンド４では、左右の脚部１１、１１が、互いに極めて近い状態に並ぶとともに、左右の上リンクバー２１、２１がそれぞれ、対応する左右の脚部１１、１１の上側で、それと一直線に並んだ状態となる。また、両下リンクバー２２、２２および連結リンクバー２３は、左側の脚部１１および上リンクバー２１と、右側の脚部１１および上リンクバー２１との間に収容される。
【００３９】
また、鉛直姿勢のピアノ本体３を水平姿勢に戻す場合には、上述した動作と逆の動作、すなわち、鉛直姿勢のピアノ本体３を時計方向に回動させる。この場合、リンク機構１２は、ピアノ本体３が回動するのに伴って展開され、これにより、右側の脚部１１が左側の脚部１１から離れ、元の位置に戻り、ピアノ本体３が水平姿勢に支持される。
【００４０】
なお、本実施形態では、本発明の保持手段が、脚部１１およびリンク機構１２によって構成されている。
【００４１】
以上詳述したように、本実施形態のスタンド４によれば、ピアノ本体３を水平姿勢から回動させることにより、鉛直姿勢に安定して保持できるので、電子ピアノ１を保管する場合に、水平姿勢のまま保管する場合に比べて、コンパクトに省スペースで保管することができる。また、左右の脚部１１、１１がリンク機構１２を介して連結されているので、ピアノ本体３を水平姿勢と鉛直姿勢との間で回動させるだけで、右側の脚部１１を左側の脚部１１に、容易に近づけたり、離したりすることができる。
【００４２】
図３は、上記スタンド４において、左右両脚部１１、１１を互いに近づける方向に付勢するばねを設けた例を示している。同図（ａ）に示す例では、脚部１１および上リンクバー２１の左右２つの連結軸１３、１３と、下リンクバー２２および連結リンクバー２３の連結軸２５との間に、２つの引張ばね２７、２７（付勢手段）が取り付けられている。一方、同図（ｂ）に示す例では、脚部１１および上リンクバー２１の左右２つの連結軸１３、１３にそれぞれ、ねじりばね２８（付勢手段）が取り付けられている。
【００４３】
上記のような引張ばね２７、２７、あるいはねじりばね２８を、スタンド４に設けることにより、それらのばね２７、２８の付勢力を、リンク機構１２を介して、ピアノ本体３が鉛直姿勢に回動する方向に作用させることができる。したがって、ピアノ本体３を水平姿勢から鉛直姿勢に回動させる際に、その回動作業を容易に行うことができる。
【００４４】
図４は、上記実施形態のスタンド４の変形例を示している。このスタンド４は、ピアノ本体３が、上記取付ねじ２６、２６で左側の上リンクバー２１に固定されるのに代えて、スライド可能に構成されたものであり、それ以外は上記実施形態と同様である。同図に示すように、左側の上リンクバー２１の上面には、その上リンクバー２１に沿って延びる係合突部２９（ガイド係合部）が設けられており、一方、ピアノ本体３の底面には、ほぼその全体にわたって左右方向に延び、上記係合突部２９がスライド自在に係合するスライド溝３ｂ（スライド部）が形成されている。また、係合突部２９およびスライド溝３ｂは、両者の間にある程度の摩擦を有するように構成されている。さらに、ピアノ本体３と左側の上リンクバー２１の間には、上記係合突部２９およびスライド溝３ｂを介して、ピアノ本体３がスライドするのを阻止可能なストッパ（図示せず）が設けられている。
【００４５】
上記構成のスタンド４で支持されたピアノ本体３の鉛直姿勢への回動は、上記実施形態と同様に行われる。ただし、この回動の際には、上記ストッパにより、ピアノ本体３のスライドが阻止されている。図５（ａ）は、ピアノ本体３を鉛直姿勢に回動させたときの状態を示している。この状態から、ストッパを解除することにより、ピアノ本体３の下方へのスライドが可能となる。なおこの場合、上述したように、係合突部２９およびスライド溝３ｂの間には摩擦があるため、ストッパが解除された直後に、ピアノ本体３が自重で勝手に下方にスライドすることはない。同図（ａ）に示す状態から、使用者Ｕが、ピアノ本体３に若干力を加え、同図（ｂ）に示すように、ピアノ本体３を下方にスライドさせる。このように、ピアノ本体３を下方にスライドさせることにより、ピアノ本体３の重心が低くなり、それにより、鉛直姿勢のピアノ本体３を安定した状態で保持することができる。
【００４６】
なお、上記変形例では、ピアノ本体３にスライド溝３ｂを設ける一方、左側の上リンクバー２１に係合突部２９を設けたが、これらの凹凸関係を逆にしてもよい。また、ピアノ本体３を図５に示すようにスライド可能であれば、上記係合突部２９に相当するものを、左側の脚部１１に設けてもよい。
【００４７】
次に、図６および図７を参照しながら、本発明の第２実施形態による鍵盤楽器のスタンドについて説明する。なお、上記第１実施形態と同じ構成部品については、同一符号を付して、その詳細な説明を省略するものとする。
【００４８】
図６に示すように、この電子ピアノ１は、ピアノ本体３と、これを床面Ｆ上で下方から支持するスタンド４とで構成されている。ピアノ本体３の底面には、前後方向に所定間隔を隔てて配置され、後述する前後一対の左脚部３１Ａ、３１Ａをそれぞれ案内する前後一対のガイドレール３ｃ、３ｃ（ガイド係合部）（前側のガイドレールのみ図示）が設けられている。各ガイドレール３ｃは、ピアノ本体３の底面の左端部と、左右方向の中央部との間に延びるように形成されている。一方、スタンド４は、それぞれ上下方向に延び、互いに左右方向に間隔を隔てて配置された左右２つの脚部３１、３１を有している。
【００４９】
左側の脚部３１（以下「左脚部３１Ａ」という）（保持手段、第１脚部）は、互いに前後方向に所定間隔を隔てて配置された前後一対に構成されている。各左脚部３１Ａは、上下方向に延びる脚部本体３１ａを有している。この脚部本体３１ａの上端部は、ピアノ本体３の上記ガイドレール３ｃにスライド自在に係合するスライダ３２（スライド部）に、前後方向に延びる連結軸３３（軸線）を介して、回動自在に連結されている。スライダ３２には、これをガイドレール３ｃにロックするロック機構（図示せず）が設けられている。また、脚部本体３１ａの下端部には、左右方向に間隔を隔てて配置された左右２つのキャスター１５、１５が取り付けられている。
【００５０】
このように構成された左脚部３１Ａは、ガイドレール３ｃに沿って、左右方向にスライド可能であり、ピアノ本体３を水平姿勢に支持する際には、ガイドレール３ｃの左端部に位置し（図６の実線で示す位置）、一方、ピアノ本体３を鉛直姿勢にする際には、ガイドレール３ｃの右端部に位置する（同図の２点鎖線で示す位置）。なお、前後の左脚部３１Ａ、３１Ａ間には、図示しない連結部が設けられており、両左脚部３１Ａ、３１Ａを両ガイドレール３ｃ、３ｃに沿ってスライドさせる際には、両者が一緒にスライドする。
【００５１】
一方、右側の脚部３１（以下「右脚部３１Ｂ」という）（第２脚部）は、互いに前後方向に、上記両左脚部３１Ａ、３１Ａ間よりも短い間隔を隔てて配置され、前後一対に構成されている。各右脚部３１Ｂは、上下方向に延びる脚部本体３１ｂを有し、その上端部が、前後方向に延びる回動軸３４ａを備えたロック機能付きのヒンジ３４を介して、ピアノ本体３の底面の右端部に回動自在に取り付けられている。また、脚部本体３１ｂの下端部には、キャスター１５が取り付けられている。
【００５２】
このように構成された右脚部３１Ｂは、ピアノ本体３を水平姿勢に支持する際には、上下方向に延びる支持位置に位置し（図６の実線で示す位置）、一方、ピアノ本体３を鉛直姿勢にする際には、ピアノ本体３の底面に沿って折り畳まれる折畳み位置に位置する（図６の２点鎖線で示す位置）。なお、前後の右脚部３１Ｂ、３１Ｂ間には、図示しない連結部が設けられており、両右脚部３１Ｂ、３１Ｂを支持位置と折畳み位置の間で回動させる際には、両者が一緒に回動する。
【００５３】
次に、本実施形態のスタンド４によって支持されたピアノ本体３を、水平姿勢から鉛直姿勢に回動させる際の動作について説明する。まず、使用者Ｕが、左脚部３１Ａを、ガイドレール３ｃに沿って、その右端部、すなわちピアノ本体３の左右方向のほぼ中央部までスライドさせる。そして、スライダ３２をガイドレール３ｃにロックするとともに、左脚部３１Ａの各キャスター１５をロックする。次いで、右脚部３１Ｂを、支持位置から折畳み位置まで回動させ、ロックする。その後、図７（ａ）に示すように、ピアノ本体３の右端部を持ち上げる。これにより、ピアノ本体３は、連結軸３３を中心として、同図の反時計方向に回動する。そして、同図（ａ）に示す状態から、ピアノ本体３の右端部を更に持ち上げ、ピアノ本体３を更に回動させることにより、ピアノ本体３が同図（ｂ）に示す鉛直姿勢となり、この姿勢で保持される。
【００５４】
なお、鉛直姿勢のピアノ本体３を水平姿勢に戻す場合には、上述した動作と逆の動作を行うことによって、容易に水平姿勢に戻すことができる。
【００５５】
以上詳述したように、本実施形態によれば、前述した第１実施形態と同様に、電子ピアノ１を鉛直姿勢に安定して保持できるとともに、コンパクトに省スペースで保管することができる。また、本実施形態では、ピアノ本体３を水平姿勢と鉛直姿勢の間で回動させる際に、ピアノ本体３の長さ方向のほぼ中央部を支点として回動させるので、使用者Ｕは、その回動作業を行う際にあまり力を必要とせず、回動作業を容易に行うことができる。
【００５６】
次に、図８〜図１１を参照しながら、本発明の第３実施形態による鍵盤楽器のスタンドについて説明する。なお、上記第１実施形態と同じ構成部品については、同一符号を付して、その詳細な説明を省略するものとする。
【００５７】
図８は、本実施形態のスタンド４を備えた電子ピアノ１を示しており、（ａ）は正面図、（ｂ）は左右両脚部４１、４１を省略した状態の右側面図である。同図に示すように、この電子ピアノ１は、演奏用のペダルを備えたタイプのものであり、ピアノ本体３と、これを床面Ｆ上で下方から支持するスタンド４とで構成されている。スタンド４は、ピアノ本体３の底面の左右両端部にそれぞれ連結された左右２つの脚部４１、４１と、ピアノ本体３の底面の左右方向の中央部に回動自在に連結されたペダル脚部４２（保持手段）とで構成されている。
【００５８】
左右の脚部４１、４１はそれぞれ、上下方向に延び、互いに前後方向に所定間隔を隔てて配置された前後一対に構成されている。つまり、このスタンド４は、４つの脚部４１を備えており、各脚部４１の上端部が、前後方向に延びる回動軸４３ａを備えたロック機能付きのヒンジ４３を介して、ピアノ本体３の底面に回動自在に取り付けられている。
【００５９】
一方、ペダル脚部４２は、ペダルを適切な位置に保持するとともに、ピアノ本体３を鉛直姿勢に保持するためのものである。このペダル脚部４２は、上下方向に延びる丸棒状の支柱５１を備えている。この支柱５１の上端部には、前方に直角に屈曲し且つ前方に所定長さ延びる屈曲部５２（軸線）が設けられており、この屈曲部５２は、自身が回動軸となるロック機能付きのヒンジ５３を介して、ピアノ本体３の底面に回動自在に連結されている。また、支柱５１の下端部には、３つの演奏用ペダル５４ａを有するペダルボックス５４が固定されている。ペダルボックス５４の左右両側にはそれぞれ、前後方向に間隔を隔てて、２つのキャスター１５、１５が取り付けられている。
【００６０】
また、支柱５１には、ペダルボックス５４を床面Ｆに押圧するための押圧機構５５が設けられている。具体的には、図８および図９に示すように、支柱５１は、ペダルボックス５４寄りの位置で、上下に２分割されており、上側の支柱部（以下「上支柱部５１ａ」という）（第１ペダル脚部）の下端部、および下側の支柱部（以下「下支柱部５１ｂ」という）（第２ペダル脚部）の上端部に雄ねじが形成されている。そして、これらの上下支柱部５１ａ、５１ｂは、それぞれの雄ねじに螺合し且つ上下方向に延びるナット部５６によって連結されている。このナット部５６を所定方向に回転させたときには、上下支柱部５１ａ、５１ｂが互いに離れ、逆方向に回転させたときには、上下支柱部５１ａ、５１ｂが互いに近づくように移動する。つまり、ナット部５６を所定方向に回転させることにより、下支柱部５１ｂが下方に移動し、それに伴い、ペダルボックス５４が床面Ｆに押圧される。このように、ペダルボックス５４が床面Ｆに押圧されることにより、各ペダル５４ａが床面Ｆ上にしっかりと保持される。これにより、演奏時に、ペダル５４ａの踏み込み操作を安定して行うことができる。
【００６１】
なお、上記のような押圧機構５５として、種々のものを採用することが可能であり、図１０は他の一例を示している。同図に示すように、この押圧機構５５は、上支柱部５１ａに固定され且つ下支柱部５１ｂを上下方向に移動自在に支持した状態で、両支持部５１ａ、５１ｂを互いに連結する連結部６１と、上下支柱部５１ａ、５１ｂ間に設けられた圧縮ばね６２と、連結部６１に上下方向に回動自在に連結された操作レバー６３と、操作レバー６３および下支柱部５１ｂにそれぞれ回動自在に連結された連結リンクバー６４とを備えている。この押圧機構５５では、操作レバー６３を上方に回動させたときには（同図の２点鎖線で示す状態）、下支柱部５１ｂが上支柱部５１ａに接近し、両支柱部５１ａ、５１ｂが、連結部６１によって、強固に連結される。一方、操作レバー６３を下方に回動させたときには（同図の実線で示す状態）、下支柱部５１ｂが連結部６１に対して上下方向に移動自在な状態となり、圧縮ばね６２で下方に付勢される。これにより、ペダルボックス５４が床面Ｆに押圧される。
【００６２】
次に、本実施形態のスタンド４によって支持されたピアノ本体３を、水平姿勢から鉛直姿勢に回動させる際の動作について説明する。まず、使用者Ｕが、各脚部４１を、支持位置から折畳み位置まで回動させ、ロックする。次いで、図１１（ａ）に示すように、ピアノ本体３の右端部を持ち上げる。これにより、ピアノ本体３は、屈曲部５２を中心として、同図の反時計方向に回動する。そして、同図（ａ）に示す状態から、ピアノ本体３の右端部を更に持ち上げ、ピアノ本体３を更に回動させることにより、ピアノ本体３が同図（ｂ）に示す鉛直姿勢となり、この姿勢で保持される。
【００６３】
なお、鉛直姿勢のピアノ本体３を水平姿勢に戻す場合には、上述した動作と逆の動作を行うことによって、容易に水平姿勢に戻すことができる。
【００６４】
以上詳述したように、本実施形態によれば、前述した第１および第２実施形態と同様に、電子ピアノ１を鉛直姿勢に安定して保持できるとともに、コンパクトに省スペースで保管することができ、また、ピアノ本体３の回動作業を容易に行うことができる。
【００６５】
なお、本発明は、説明した各実施形態に限定されるものではなく、また、実施形態で示したスタンド４の細部の構成などは、あくまで例示であり、本発明の趣旨の範囲内で適宜、変更することができる。
【図面の簡単な説明】
【００６６】
【図１】本発明の第１実施形態によるスタンドを備えた電子ピアノを示す正面図である。
【図２】図１の電子ピアノにおけるピアノ本体の回動動作を説明するための図であり、（ａ）は、ピアノ本体の回動途中の状態を示し、（ｂ）は、ピアノ本体を鉛直姿勢に保持した状態を示す。
【図３】第１実施形態のスタンドにおいて、リンク機構を折り畳みの状態に付勢するばねを設けた例を示す図であり、（ａ）は、引張ばねを設けた例を示し、（ｂ）は、ねじりばねを設けた例を示す。
【図４】第１実施形態の電子ピアノのスタンドの変形例を示す正面図である。
【図５】図４の電子ピアノを示す正面図であり、（ａ）は、ピアノ本体を鉛直姿勢に回動させた直後の状態を示し、（ｂ）は、（ａ）に示すピアノ本体を下方にスライドさせた状態を示す。
【図６】本発明の第２実施形態によるスタンドを備えた電子ピアノを示す正面図である。
【図７】図６の電子ピアノにおけるピアノ本体の回動動作を説明するための図であり、（ａ）は、ピアノ本体の回動途中の状態を示し、（ｂ）は、ピアノ本体を鉛直姿勢に保持した状態を示す。
【図８】本発明の第３実施形態によるスタンドを備えた電子ピアノを示す図であり、（ａ）は正面図、（ｂ）は脚部を省略した状態の右側面図である。
【図９】押圧機構を拡大して示す断面図である。
【図１０】押圧機構の他の例を拡大して示す図である。
【図１１】図８の電子ピアノにおけるピアノ本体の回動動作を説明するための図であり、（ａ）は、ピアノ本体の回動途中の状態を示し、（ｂ）は、ピアノ本体を鉛直姿勢に保持した状態を示す。
【符号の説明】
【００６７】
１    電子ピアノ
３    ピアノ本体（楽器本体）
３ｂ  スライド溝（スライド部）
３ｃ  ガイドレール（ガイド係合部）
４    スタンド
１１    脚部
１２    リンク機構
１３    連結軸（軸線）
１５    キャスター
２７    引張ばね（付勢手段）
２８    ねじりばね（付勢手段）
２９    係合突部（ガイド係合部）
３１    脚部
３１Ａ  左脚部（保持手段、第１脚部）
３１Ｂ  右脚部（第２脚部）
３２    スライダ（スライド部）
３３    回動軸（軸線）
４１    脚部
４２    ペダル脚部（保持手段）
５１    支柱
５１ａ  上支柱部（第１ペダル脚部）
５１ｂ  下支柱部（第２ペダル脚部）
５２    屈曲部（軸線）
５４ａ  演奏用ペダル
５５    押圧機構
Ｆ    床面
【図１】
2006220838.tif 000003
【図２】
2006220838.tif 000004
【図３】
2006220838.tif 000005
【図４】
2006220838.tif 000006
【図５】
2006220838.tif 000007
【図６】
2006220838.tif 000008
【図７】
2006220838.tif 000009
【図８】
2006220838.tif 000010
【図９】
2006220838.tif 000011
【図１０】
2006220838.tif 000012
【図１１】
2006220838.tif 000013